(57)【要約】【課題】係止手段の係合状態を解除する動作と光トランシーバをケージから取り出す動作を実質的に連続した１動作とすることにより、取り出し作業を容易に行えるようにする。【解決手段】通信機器側のケージ２に係止穴６を有する弾性片７を設ける。光トランシーバ４に係合部１７と、ラッチ解除用レバー３７と操作レバー３８を設ける。ラッチ解除用レバー３７はレセプタクル部１１内に前後方向に移動自在に組み込まれて前後端が外部に突出している。操作レバー３８は、レセプタクル部１１の外側に回動自在に設けられており、係止穴６と係合部１７の係合状態を解除する際、光トランシーバ４をケージ２から取り出す方向の力で回動されることによりラッチ解除用レバー３７を動作させる。これにより、ラッチ解除用レバー７は後方に移動し、その後端に設けられているロック解除部３７Ｃが弾性片７を下方に弾性変形させて係止穴６と係合部１７の係合状態を解除する。【選択図】  図１
2006337727.tif 000002
【特許請求の範囲】
【請求項１】
前面に光コネクタプラグが接続される接続口を有するレセプタクル部と、
通信機器側のケージに設けられている弾性変形部の係止穴に係合する係合部を有し前記ケージに差し込まれる差し込み部と、
前記ケージの弾性変形部を前記係合部から離間する方向に弾性変形させることにより前記係止穴と前記係合部との係合状態を解除するラッチ解除用レバーと、
前記ラッチ解除用レバーを動作させる操作レバーとを備え、
前記ラッチ解除用レバーは前記レセプタクル部の下部側に前後移動自在に設けられ、
前記操作レバーは、前記差し込み部を前記ケージから取り出す方向と同方向の操作力によって回動されることにより、前記ラッチ解除用レバーを動作させることを特徴とする光トランシーバ。
【請求項２】
請求項１記載の光トランシーバにおいて、
前記操作レバーは、前記レセプタクル部の両側面に軸によって回動自在に枢支された左右一対の支軸部と、前記一対の支軸部を連結する連結部と、前記連結部にそれぞれ延設されることにより前記レセプタクル部の上方および前方に延在する操作部および押圧部と、前記連結部に形成されたプラグ用凹部とを有し、
前記光コネクタプラグが前記プラグ用凹部を通って前記レセプタクル部の接続口に差し込まれることを特徴とする光トランシーバ。
【請求項３】
請求項２記載の光トランシーバにおいて、
前記ラッチ解除用レバーは、前記レセプタクル部の前方に位置し前記操作レバーの押圧部によって押圧される被押圧部と、前記差し込み部の下面側に位置し前記ケージの弾性変形部を前記係合部から離間する方向に弾性変形させるラッチ解除部とを有することを特徴とする光トランシーバ。
【請求項４】
通信機器側のケージに対して光トランシーバを着脱可能に係止する光トランシーバのラッチ機構において、
前記ケージに設けられた係止穴を有する弾性変形部と、
前記光トランシーバの前記ケージに差し込まれる差し込み部の下面側に突設され前記ケージの係止穴に係合する係合部と、
前記光トランシーバの光コネクタプラグが接続されるレセプタクル部の下部側に前後移動自在に設けられ前記弾性変形部を前記係合部から離間する方向に弾性変形させることにより前記係止穴と前記係合部との係合状態を解除するラッチ解除用レバーと、
前記レセプタクル部に回動自在に設けられた操作レバーとを備え、
前記操作レバーは前記光トランシーバの差し込み部を前記ケージから取り出す方向と同方向の操作力によって回動されることにより、前記ラッチ解除用レバーを動作させることを特徴とする光トランシーバのラッチ機構。
【発明の詳細な説明】
【技術分野】
【０００１】
本発明は、光ＬＡＮ（Local Area Network）等の高速光通信に送受信機として用いられる光トランシーバに関し、特に通信機器側のケージに対して脱着可能に取り付けられるＳＦＰタイプ（ Small Form-Factor Pluggable）の光トランシーバおよびそのラッチ機構に関するものである。
【背景技術】
【０００２】
高速ＬＡＮにおいて、デジタル電気信号と光信号とを相互に変換する光モジュールとして、光通信機器社間で取り決められたＭＳＡ（Multi Source Agreement）により規格化されたＳＦＦ（Small Form Factor ）タイプの光トランシーバやＳＦＰタイプの光トランシーバが広く用いられている。このうち、ＳＦＰタイプの光トランシーバは、光電気変換素子や回路基板等を内蔵しており、通信機器側の基板（例えば、マザーボード）上に設置されたケージに脱着可能に差し込むると、ケージ内の電気インターフェースコネクタに対して電気的、機械的に接続され、これにより光ファイバとの間で送受する光信号と、通信機器側の基板との間で送受する電気信号を互いに変換することで光通信を可能にしている。
【０００３】
このようなＳＦＰタイプの光トランシーバは、動作中に通信機器側のケージから外れると通信が中断したり、通信機器やトランシーバ自体が故障するおそれがあるため、ＭＳＡ規格ではこのような事故を防止するために、ラッチ機構（またはロック機構ともいう）によって光トランシーバをケージに対してしっかりと係止することを規定している。ラッチ機構の具体的な構造としては、係止手段と、この係止手段の係合状態を解除するロック解除手段とを備えた構造であることを規定している。このため、構造が簡単で光トランシーバの脱着を容易に行うことができるラッチ機構が従来から種々提案されている（例えば、特許文献１〜４参照）。
【０００４】
特許文献１に記載された光モジュールのロック機構は、ケージ側に係止穴を有するばね板部を設け、光モジュールの下面側に前記係止穴に係合する突起状のロック部と、前記係止穴とロック部との係合状態を解除するロック解除用のレバーを設けている。ロック解除用レバーは、上下方向に回動自在に枢支された支軸部と、光モジュールの前方に突出するつまみ部と、ロック部の近傍に位置する凸部とを有し、ロック解除時につまみ部が指によって押し上げられると回動し、凸部がケージのばね板部を上方から押圧して下方に弾性変形させることにより、ロック部と係止穴との係合状態を解除するように構成されている。このため、光モジュールの取り出しに際しては、ロック解除用レバーを上方に回動させて係止穴とロック部の係合状態を解除する動作と、光モジュールをケージから前方に取り出す動作の２動作を行う必要がある。
【０００５】
特許文献２に記載された光モジュールのロック機構は、ケージ側に係止穴を設け、光モジュールのケース下面側に前記係止穴に係合する突起状のロック部を有するロック部材を上下方向に回動自在に設け、前記ケースの接続口に光ファイバケーブルコネクタを差し込み接続することにより、このコネクタが前記ロック部材を動作させてロック部を係止穴に係合させ、光ファイバケーブルコネクタを接続口から抜き取ることにより、ロック部材が元の状態に復帰して係止穴とロック部の係合状態を解除するように構成したものである。このため、光モジュールの取り出し時には、先ず光ファイバケーブルコネクタを光モジュールの接続口から抜き取り、しかる後光モジュールをケージから取り出し、取り出した後は再びコネクタを元の接続口に差し込む必要がある。
【０００６】
特許文献３に記載された光ファイバ・モジュールのラッチ外し機構は、光ファイバ・モジュールの下面側に第１、第２のアクチュエータを設け、第１のアクチュエータを操作するとこれに連動して第２のアクチュエータが光ファイバ・モジュールとケージとの係合状態を解除し、引き出しタブを引っ張ることにより光ファイバ・モジュールをケージから引き出すように構成したものである。このため、光ファイバ・モジュールの取り出しには、上記した特許文献１に記載されている従来装置と同様に第１のアクチュエータを回動させる動作と、光ファイバ・モジュールをケージから取り出す動作の２動作を必要とする。
【０００７】
特許文献４に記載されたＳＦＰ光ファイバ・モジュールのレリーズ機構は、ＳＦＰケージ側に係止穴を有するばね板部を設け、ＳＦＰ光ファイバ・モジュールのケース下面側に前記ばね板部の係止穴に係合するラッチ（ロック部）と進退自在なエジェクターとを設けている。エジェクターは、光ファイバ・モジュールの取り出し時に押し込むことにより、前記ばね板部を下方に弾性変形させて係止穴とラッチの係合状態を解除するように構成されている。そして、ＳＦＰ光ファイバ・モジュールはレリーズ機構による係止状態が解除されると、ＳＦＰケージから引き出される。この場合、エジェクターの押込み方向と光ファイバ・モジュールの取り出し方向は互いに反対方向であるため、光ファイバ・モジュールの取り出し時には、エジェクターを押し込む動作と、光ファイバ・モジュールをケージから取り出す動作の２動作を必要とする。
【０００８】
【特許文献１】特開２００４−３４３５０６号公報
【特許文献２】特開２００４−３５４８６６号公報
【特許文献３】特表２００４−５３３００８号公報
【特許文献４】米国特許明細書６，４３４，０１５号
【発明の開示】
【発明が解決しようとする課題】
【０００９】
しかしながら、上記した従来の光トランシーバは、いずれもラッチ機構による光トランシーバの係止状態を解除する際にロック解除用部品を動作させるために加えられる操作力の方向と、解除後に光トランシーバをケージから取り出す際に加えられる操作力の方向とが異なるために、取り出す際の動作が２動作となり、取り出し作業が煩わしく時間がかかるという問題があった。
【００１０】
特に、特許文献１に記載された光モジュールは、ロック解除用レバーをケースの下面側に回動自在に設けているので、ケージへの差し込み時に光モジュールを上下方向から把持すると、指がロック解除用レバーを押さえ込んでロック方向に回動させてしまうために、ロック部がケージの開口端面に当たり光モジュールをケージに差し込めないという問題があった。また、ロック解除用レバーを復帰方向に付勢するためのばねを必要とし、部品点数が増加するという問題もあった。
【００１１】
特許文献２に記載された光モジュールは、特許文献１の光モジュールと同様な問題に加えて、着脱時の動作が１動作増えるという問題があった。すなわち、光ファイバケーブルコネクタにロック解除用レバーを兼用させると、光モジュールの着脱時に同コネクタを光モジュールから取り外す動作と、元に戻す動作の２動作を必要とするからである。
【００１２】
特許文献４に記載されたＳＦＰ光ファイバ・モジュールは、エジェクターの押込み方向とＳＦＰ光ファイバ・モジュールの取り出し方向とが正反対な方向であるため、取り出し時に１本の指でエジェクタを押し込んで係止穴とロック部の係合状態を解除した状態を保持しつつ、他の２本の指でＳＦＰ光ファイバ・モジュールを把持してケージから引き出さなければならなず、指の使い方が難しく取り出し操作に熟練を要するという問題があった。
【００１３】
本発明は上記した従来の問題を解決するためになされたものであり、その目的とするところは、構造簡易にして指の使い方が自然で、係止手段の係合状態を解除する動作と光トランシーバをケージから取り出す動作を実質的に連続した１動作とすることにより、取り出し作業を容易かつ迅速に行うことが可能な光トランシーバおよびそのラッチ機構を提供することにある。
【課題を解決するための手段】
【００１４】
上記目的を達成するために第１の発明に係る光トランシーバは、前面に光コネクタプラグが接続される接続口を有するレセプタクル部と、通信機器側のケージに設けられている弾性変形部の係止穴に係合する係合部を有し前記ケージに差し込まれる差し込み部と、前記ケージの弾性変形部を前記係合部から離間する方向に弾性変形させることにより前記係止穴と前記係合部との係合状態を解除するラッチ解除用レバーと、前記ラッチ解除用レバーを動作させる操作レバーとを備え、前記ラッチ解除用レバーは前記レセプタクル部の下部側に前後移動自在に設けられ、前記操作レバーは、前記差し込み部を前記ケージから取り出す方向と同方向の操作力によって回動されることにより、前記ラッチ解除用レバーを動作させるものである。
【００１５】
第２の発明に係る光トランシーバは、前記操作レバーが、前記レセプタクル部の両側面に軸によって回動自在に枢支された左右一対の支軸部と、前記一対の支軸部を連結する連結部と、前記連結部にそれぞれ延設されることにより前記レセプタクル部の上方および前方に延在する操作部および押圧部と、前記連結部に形成されたプラグ用凹部とを有し、前記光コネクタプラグが前記プラグ用凹部を通って前記レセプタクル部の接続口に差し込まれるものである。
【００１６】
第３の発明に係る光トランシーバは、前記ラッチ解除用レバーが、前記レセプタクル部の前方に位置し前記操作レバーの押圧部によって押圧される被押圧部と、前記差し込み部の下面側に位置し前記ケージの弾性変形部を前記係合部から離間する方向に弾性変形させるラッチ解除部とを有するものである。
【００１７】
第４の発明に係る光トランシーバのラッチ機構は、通信機器側のケージに対して光トランシーバを着脱可能に係止する光トランシーバのラッチ機構において、前記ケージに設けられた係止穴を有する弾性変形部と、前記光トランシーバの前記ケージに差し込まれる差し込み部の下面側に突設され前記ケージの係止穴に係合する係合部と、前記光トランシーバの光コネクタプラグが接続されるレセプタクル部の下部側に前後移動自在に設けられ前記弾性変形部を前記係合部から離間する方向に弾性変形させることにより前記係止穴と前記係合部との係合状態を解除するラッチ解除用レバーと、前記レセプタクル部に回動自在に設けられた操作レバーとを備え、前記操作レバーは前記光トランシーバの差し込み部を前記ケージから取り出す方向と同方向の操作力によって回動されることにより、前記ラッチ解除用レバーを動作させるものである。
【発明の効果】
【００１８】
第１、第４の本発明においては、操作レバーに加えられる操作力の方向が光トランシーバをケージから取り出す方向と一致しているので、操作レバーを動作させて係合部と係止穴との係合状態を解除した後も引き続き操作レバーに同方向の操作力を加え続ければ、この操作力が光トランシーバをケージから取り出すための力として働き、ラッチ機構の係止解除動作と光トランシーバの取り出し動作を実質的に連続した１動作で行うことができる。したがって、光トランシーバを２本の指で把持しなくても操作レバーの操作部に引っ掛けている１本の指による取り出しが可能で、光トランシーバの取り出し作業を容易かつ迅速に行うことができる。
また、本発明においては、操作レバーから操作力を取り除くと、ケージ側の弾性変形部が弾性復帰してラッチ解除用レバーを元の位置に復帰するため、ラッチ解除用レバーに復帰用ばねを設ける必要がなく部品点数を削減できる。
【００１９】
第２の発明においては、操作レバーの操作部がレセプタクル部の上方に延在しているので、ロック解除時に１本の指を上から引っ掛けて前方側に引くだけでよく、指の使い方が自然で取り出し作業を容易に行うことができる。
【００２０】
第３の発明においては、操作レバーに連動してラッチ解除用レバーが動作すると、そのラッチ解除部がケージの弾性変形部を押圧して弾性変形させ、係止穴と係合部との係合状態が解除されるので、作業者が手でラッチ解除用レバーを動作させる必要がなく、光トランシーバの取り出し作業を容易に行うことができる。
【発明を実施するための最良の形態】
【００２１】
以下、本発明を図面に示す実施の形態に基づいて詳細に説明する。
図１は本発明に係る光トランシーバの外観斜視図、図２は同光トランシーバの平面図、図３は同光トランシーバの一部を破断して示す右側面図、図４は同光トランシーバの底面図、図５は操作レバーの斜視図、図６〜図９は同光トランシーバのケージに対する着脱操作を説明するための図である。
【００２２】
本実施の形態においては通信機器としてのＯＬＴ（Optical Line Termination：光加入者系システムの局側装置）とＯＮＵ（Optical Network Unit：光加入者システムを加入者宅内に引き込み、ユーザー網インターフェースを提供する回路終端装置）間での光通信に用いた例を示している。
【００２３】
これらの図において、１はＯＬＴ側のマザーボード、２はマザーボード１上にスペーサ３を介して複数個並設されたケージ、４は光トランシーバ、５は光ファイバである。
【００２４】
前記ケージ２は、前記光トランシーバ４の挿入ガイドスロットを構成するもので、ステンレス薄板の折り曲げ加工によって前面側（図１において左側）が開放する前後方向に長い断面矩形の箱型に形成されており、内奥には図示を省略した電気インターフェースコネクタが設けられている。このケージ２の底板２Ａの前端縁中央には、係止穴６を有する弾性片（弾性変形部）７が形成されている。弾性片７は、左右一対の長溝８ａ，８ｂの形成によって両側縁が底板２Ａから切り離され、後端のみが底板２Ａに接続する前後方向に長い舌片状に形成されている。また、弾性片７は、側面視形状が「へ」の字状を呈することにより、前端部７ａが下方に向かって折り曲げられ、この前端部７ａより後方部分７ｂに前記係止穴６が形成されている。なお、弾性片７の頂部はケージ２内に位置し、前端がケージ２の下方に位置している。
【００２５】
前記光トランシーバ４は、ＭＳＡで規定されたＳＦＰタイプのもので、１本の光ファイバ５で送受信を行う一芯双方向型の光トランシーバからなり、前記ケージ２の前面側開口部９から脱着可能に差し込まれる差し込み部１０と、この差し込み部１０の前端側に設けられたレセプタクル部１１とを備えている。したがって、光トランシーバ４をケージ２から取り出す方向はケージ２の前方方向である。差し込み部１０は、ステンレス薄板の折り曲げ加工によって形成された前後方向に長い矩形のケース１３で構成され、内部に回路基板１４を収納している。ケース１３の長手方向と直交する断面形状は、前記ケージ２の長手方向と直交する断面形状より若干小さい相似形に形成されている。
【００２６】
前記ケース１３を構成する上板２７の前端部２７Ａは前記レセプタクル部１１の上面を形成しており、この前端部２７Ａより後方部分（以下、後端部という）２７Ｂには、左右一対の弾性片１５（図２）が形成されている。これらの弾性片１５は、コ字状の長溝１６の形成によって前端縁および左右両側縁が上板２７から切り離され、後端縁のみが上板２７に接続する前後方向に長い舌片状に形成されている。また、弾性片１５は、側面視山形に塑性加工されていることにより自然状態でケース１３の上方に突出しており、差し込み部１０がケージ２に差し込まれるとケージ２の上板２Ｂの下面に圧接されるように形成されている。このため、光トランシーバ４の差し込み部１０をケージ２に挿入すると、弾性片１５の弾発力によってケージ２の底板２Ａに押し付けられ、これによって上下左右方向の遊動が防止される。
【００２７】
一方、ケース１３の下板２８の前端部２８Ａは前記レセプタクル部１１の下面を形成しており、この前端部２８Ａより後方部分（以下、後端部という）２８Ｂの前端寄りには、前記ケージ２の係止穴６に係合する突起状の係合部１７（図１）が下方に向かって折り曲げ形成されている。係止穴６と係合部１７は、光トランシーバ４をケージ２に対して着脱可能に係止するラッチ機構４０（後述する）の係止手段３６を構成している。なお、１８は係合部１７を形成するために下板２８の後端部２８Ｂに形成された抜き穴である。
【００２８】
前記回路基板１４は、前端部側に光電気変換素子としての発光素子（例えば、半導体レーザ）２０および受光素子（例えば、フォトトランジスタ）２１、アンプ等が実装されており、後端部がケージ２内の電気インターフェースコネクタに対して電気的、機械的に接続されるカードエッジコネクタ２２を構成している。このカードエッジコネクタ２２は、前記ケース１３の後端に形成した開口部２３内に位置しており、ケージ２側の電気インターフェースコネクタに差し込まれるとその端子に電気的に接続される。なお、回路基板１４のグランド回路は、ケース１３に電気的に接続されている。
【００２９】
前記光トランシーバ４のレセプタクル部１１には、前記回路基板１４、前記発光素子２０、受光素子２１、アンプ等の一部が組み込まれているとともに、前記光ファイバ５の一端を保持する光コネクタプラグ（光ファイバケーブルコネクタ）２４が接続される部分で、前記差し込み部１０の前端部に取り付けられたホルダー２５を備えている。
【００３０】
前記ホルダー２５は、合成樹脂によって前記ケース１３の後端部側の幅および高さより大きな幅と高さとを有し、上下および後方に開放する平面視コ字状の枠体に形成されている。このため、ホルダー２５は、前面板２５Ａと左右一対の側面板２５Ｂ，２５Ｃとからなり、上面側開口部２６ａ、下面側開口部２６ｂおよび背面側開口部２６ｃを有している。また、ホルダー２５は、上面が前記ケース１３の上面と同一平面を形成するようにケース１３の前端部に嵌着され、２本のビス３０によって固定されている。
【００３１】
ホルダー２５の上面側開口部２６ａは、前記上板２７の前端部２７Ａによって覆われている。ホルダー２５の下面側開口部２６ｂは、前記下板２８の前端部２８Ａによって覆われている。下板２８の前端部２８Ａは、後端部２８Ｂより下方に位置し、ホルダー２５の下面と同一平面を形成している。このため、下板２８の前端部２８Ａと後端部２８Ｂとの境部には、挿通孔３９を有する折曲部２９（図４）が設けられている。ホルダー２５の背面側開口部２６ｃには、前記ケース１３の前端部が挿入されている。
【００３２】
前記ホルダー２５の前面板２５Ａの左端部上方寄りには、前記光コネクタプラグ２４が差し込み接続される接続口３３が設けられている。光コネクタプラグ２４を接続口３３に差し込み接続すると、前記光ファイバ５はレセプタクル部１１内の前記発光素子２０、受光素子２１と光信号の送受信可能に光結合される。光ファイバ５の光トランシーバ４側とは反対側端はＯＮＵに接続されている。また、前面板２５Ａの前面で右端部下方には矩形の凹部３４が形成されている。この凹部３４は、前面板２５Ａの下面に形成した溝部３５を介してホルダー２５の内部と連通している。
【００３３】
前記レセプタクル部１１には、前記係止手段３６とともに前記ラッチ機構４０を構成するラッチ解除用レバー３７と操作レバー３８が取り付けられている。
【００３４】
前記ラッチ解除用レバー３７は、ステンレス薄板の折り曲げ加工によって形成されることにより、前後方向に長い本体３７Ａ（図４）と、この本体３７Ａの前後端にそれぞれ一体に設けられた被押圧部３７Ｂおよびラッチ解除部３７Ｃ（図３）とを備え、前記ホルダー２５の下部側に取り付けられている。前記本体３７Ａは、ホルダー２５内に前記下板２８の前端部２８Ａの上面に沿って前後方向に移動自在に収納されており、前端部が前記前面板２５Ａの溝部３５を通ってレセプタクル部１１の前方に突出している。被押圧部３７Ｂは、本体３７Ａの前端に上方に略垂直に折り曲げ形成され、前記前面板２５Ａの凹部３４に入り得る大きさを有している。凹部３４は、被押圧部３７が内壁面に当接することによりラッチ解除用レバー３７の後方への移動を制限する。ラッチ解除部３７Ｃは、前記本体３７Ａの後端に略４５°の角度で斜め上方に折り曲げ形成されており、前記下板２８の折曲部２９に設けた挿通孔３９からホルダー２５の後方に突出している。また、ラッチ解除部３７Ｃは、ケース１３の係合部１７よりも前方に位置し下板２８の後端部２８Ｂの下面に接触している。
【００３５】
前記操作レバー３８は、前記ラッチ解除用レバー３７と同様にステンレス薄板の折り曲げ加工によって形成されることにより、前記ホルダー２５の左右両側板２５Ｂ，２５Ｃに軸４４によって回動自在に枢支された左右一対の支軸部３８Ａ，３８Ａと、レセプタクル部１１の前方に位置し前記一対の支軸部３８Ａ，３８Ａの前端を連結する連結部３８Ｂと、この連結部３８Ｂの上下縁にそれぞれ一体に延設された操作部３８Ｃおよび押圧部３８Ｄとで構成されている。連結部３８Ｂの左端部側には、操作レバー３８の回動時における光コネクタプラグ２４と連結部３８Ｂとの干渉を防止するプラグ用凹部４５が形成されている。操作部３８Ｃはホルダー２５の上方に延在し、先端には指の掛かりを良くする掛かり部４６（図３、図５）が折り曲げ形成されている。押圧部３８Ｄは、レセプタクル部１１の前方でかつ前記ラッチ解除用レバー３７の被押圧部３７Ｂよりも前方に位置し、下端には係止手段３６の係止状態解除時に被押圧部３７Ｂを押圧する左右一対の押圧片４７が後方に向かって一体に突設されている。操作部３８Ｃと押圧部３８Ｄの交差角度は１２０°、操作レバー３８の最大回動角度α（図８）は２６°程度である。また、操作レバー３８は、操作部３８Ｃの回動範囲がレセプタクル部１１の上方領域内に制限されており、不使用時においては、操作部３８Ｃが図３に実線で示すようにレセプタクル部１１の上面に接触し、ラッチ解除用レバー３７をフリーな状態に保持しておくことが好ましい。
【００３６】
次に、上記構造からなる光トランシーバ４のケージ２に対する着脱作業を図６〜図９に基づいて説明する。図６は光トランシーバ４の差し込み部１０をケージ２に途中まで差し込んだ状態を示す図である。光トランシーバ４の装着に際しては、レセプタクル部１１を２本の指、例えば親指１００と人差し指１０１とで上下方向から把持して差し込み部１０をケージ２に挿入する。親指１００と人差し指１０１でレセプタクル部１１を上下方向から把持すると、操作レバー３８の操作部３８Ｃは人差し指１０１によってレセプタクル部１１の上面に押し付けられる。
【００３７】
図７に示すように差し込み部１０の全長をケージ２に差し込むと、ホルダー２５の後端面がケージ２の前面側開口端面に当接してそれ以上の挿入が阻止される。差し込み部１０がケージ２に差し込まれると、係合部１７は弾性片７の前端部７ａ（図１）に乗り上げて頂部を通過すると係止穴６に係合して光トランシーバ４をケージ２に係止する。また、差し込み部１０をケージ２に差し込み、係合部１７が係止穴６に係合すると、回路基板１４のカードエッジコネクタ２２（図１）はケージ２内の電気インターフェースコネクタに電気的、機械的に接続され、これにより光コネクタ４がケージ２に対して着脱可能に装着される。この装着状態において、ケース１３の上面側に設けられている一対の弾性片１５はケージ２の上板２７の下面に圧接し、その弾発力で差し込み部１０を底板２８に押し付けることにより、光トランシーバ４をしっかりと固定し上下左右方向の遊動を防止する。
【００３８】
ケージ２に装着されている光トランシーバ４を取り出すときは、図８に示すように人差し指１０１を操作レバー３８の操作部３８Ｃの掛かり部４６に引っ掛けてケージ２の前方に引く。
【００３９】
人差し指１０１によって操作レバー３８の操作部３８Ｃを前方に引くと、操作レバー３８は軸４４を中心として図８において反時計方向に回動し、押圧部３８Ｄの押圧子４７がラッチ解除用レバー３７の被押圧部３７Ｂを押圧する。このため、ラッチ解除用レバー３７は、下板２８の前端部２８Ａの上面に沿って後方に移動してラッチ解除部３７Ｃをケージ２内に挿入させる。そして、ラッチ解除用レバー３７は、操作レバー３８が最大角度（α）回動すると、後方に最大ストローク移動して被押圧部３７Ｂが前面板２５Ａの凹部３４（図１）の内壁面に押し付けられることにより停止し、それ以上の移動を制限される。ラッチ解除用レバー３７のラッチ解除部３７Ｃは、ケージ２内に所定量挿入されると、弾性片７に当たってこれを下方に弾性変形させることにより係止穴６と係合部１７との係合状態を解除する。図８はこの状態を示す。
【００４０】
操作レバー３８の回動によりラッチ解除用レバー３７を動作させて弾性片７を下方に撓ませ、係止穴６と係合部１７との係合状態を解除した後も、操作レバー３８の掛かり部４６に引っ掛けている人差し指１０をさらに前方に引き続けると、光トランシーバ４は図９に示すようにケージ２から徐々に引き出され、回路基板１４のカードエッジコネクタ２２がケージ２内の電気インターフェースコネクタから外れる。したがって、光トランシーバ４をケージ２から取り出すことができる。この取り出し時においては必ずしも２本の指で把持する必要はないが、光トランシーバ４が傾いたりしないようにするために親指１００でレセプタクル部１１の下面を支えておくことが好ましい。光トランシーバ４をケージ２から取り出すと弾性片７，１５はそれぞれ元の状態に弾性復帰する。
【００４１】
このように本発明においては、係止穴６と係合部１７との係合状態を解除するとき、操作レバー３８を回動させる力の方向を前方とし、光トランシーバ４をケージ２から取り出す方向と一致させているので、光トランシーバ４の取り出し時に操作レバー３８の操作部３８Ｃに対して光トランシーバ４を取り出す方向の力を加え続けることにより、ラッチ機構４０の係止解除動作と光トランシーバ４の取り出し動作を実質的に連続した１動作で行うことができる。したがって、光トランシーバ４を２本の指で必ずしも把持する必要がなく操作レバー３８の操作部３８Ｃに１本の指を引っ掛けるだけでも取り出すことができ、光トランシーバ４の取り出し作業を容易かつ迅速に行うことができる。
【００４２】
また、本発明においては、操作レバー３８によって動作されるラッチ解除用レバー３７の本体３７Ａをレセプタクル部１１内に前後移動自在に組み込むだけでよいので、ラッチ解除用レバー３７の取付けが簡単で、復帰用ばねを設ける必要がなく部品点数を削減できる。さらに、レセプタクル部１１の上下面を指で把持してもラッチ解除用レバー３７を指で押さえつけたり、操作レバー３８がラッチ解除用レバー３７を動作させたりすることがなく、光トランシーバ４をケージ２に確実に装着することができる。
【００４３】
また、操作レバー３８の連結部３８Ｂにプラグ用凹部４５を設けているので、操作レバー３８を回動させても、光コネクタプラグ２４が連結部３８Ｂに当たって操作レバー３８の回動を阻害するようなことはない。
【００４４】
さらに、本発明においては、操作レバー３８の操作部３８Ｃの回動範囲をレセプタクル部１１の上方のみとし、その回動範囲を水平面から２６°程度の比較的狭い範囲としているので、光トランシーバ４をケージから取り出すときの力の損失を少なくことができる。すなわち、操作部３８Ｃの回動範囲を広くすると、操作部３８Ｃに加える操作力の方向が回動角度によって変化するため、力の損失が大きくなる。また、力の方向が変化すると、光トランシーバ４が傾き、取り出しにくくなる。これに対して、操作部３８Ｃの回動範囲が小さければ、力の方向の変化が少なく安定した状態で光トランシーバ４をケージ２から引き出すことができる。
【産業上の利用可能性】
【００４５】
本発明は光トランシーバ４をＯＬＴとＯＮＵ間の光通信に用いた例を示したが、これに限らず、他の光通信、例えばＳＯＮＥＴ（Synchronous Optical Network）、ＳＤＨ（
Synchronous Digital Hierarchy）等に用いることが可能である。
【図面の簡単な説明】
【００４６】
【図１】本発明に係る光トランシーバの外観斜視図である。
【図２】同光トランシーバの平面図である。
【図３】同光トランシーバの一部を破断して示す右側面図である。
【図４】同光トランシーバの底面図である。
【図５】操作レバーの斜視図である。
【図６】同光トランシーバのケージに対する着脱作業を説明するための図である。
【図７】同光トランシーバのケージに対する着脱作業を説明するための図である。
【図８】同光トランシーバのケージに対する着脱作業を説明するための図である。
【図９】同光トランシーバのケージに対する着脱作業を説明するための図である。
【符号の説明】
【００４７】
１…マザーボード、２…ケージ、４…光トランシーバ、５…光ファイバ、６…係止穴、７…弾性片、１０…差し込み部、１１…レセプタクル部、１３…ケース、１４…回路基板、１７…係合部、２４…光コネクタプラグ、３３…接続口、３７…ラッチ解除用レバー、３７Ａ…本体、３７Ｂ…被押圧部、３７Ｃ…ラッチ解除部、３８…操作レバー、３８Ａ…支軸部、３８Ｂ…連結部、３８Ｃ…操作部、３８Ｄ…押圧部、４４…軸、４５…プラグ用凹部。
【図１】
2006337727.tif 000003
【図２】
2006337727.tif 000004
【図３】
2006337727.tif 000005
【図４】
2006337727.tif 000006
【図５】
2006337727.tif 000007
【図６】
2006337727.tif 000008
【図７】
2006337727.tif 000009
【図８】
2006337727.tif 000010
【図９】
2006337727.tif 000011